(57)【特許請求の範囲】
【請求項１】
遊技盤の盤面に形成された遊技領域から球通路を経て送り込まれた遊技球を転動させながら経路を振り分けて前記遊技領域へ排出させるステージ構造であって、
左右方向の特定位置に頂部を有し、少なくとも左右一方側の終端部が前記球通路の出口に連通する転動面と、この転動面からの前記遊技球の離脱を阻止する立壁面とを備え、
前記転動面の頂部には、その転動面幅方向のほぼ中央部を境に遊技盤手前側に向かって下り傾斜する第１凹部及び同奥側に向かって下り傾斜する第２凹部が各々形成され、
前記第１凹部の側部には、前記遊技盤手前側の立壁面から前記転動面幅方向のほぼ中央部に向かって下り傾斜すると共に両側方に向かって下り傾斜し、前記遊技球が、前記第１凹部側、前記第１凹部側とは反対側及び前記第２凹部側のうちのいずれの側にも流れるように凸部が形成され、
前記第１凹部に対応する前記立壁面には、前記遊技球を、前記転動面頂部から前記遊技領域に排出可能の第１前側排出口が形成され、
前記第２凹部に対応する前記立壁面には、前記遊技球を、前記転動面頂部から前記遊技盤奥側に落下させる奥側排出口が形成され、
この奥側排出口から落下する前記遊技球を受け、この遊技球を、前記転動面の下方をくぐり抜けさせて前記第１前側排出口の下方に位置する第２前側排出口から前記遊技領域に排出させるくぐり抜け流路を備え、
前記第２前側排出口の位置が、前記遊技領域上の特定箇所の直上位置に位置決め設定されていることを特徴とするステージ構造。
【請求項２】
前記転動面の頂部を除く箇所には、遊技盤手前側に向かって下り傾斜する第３凹部が形成され、この第３凹部に対応する前記立壁面には、前記遊技球を、前記転動面から前記遊技領域に排出可能の第３前側排出口が形成されていることを特徴とする請求項１に記載のステージ構造。
【請求項３】
前記凸部は、前記転動面幅方向の中央側が狭く、端側に向かうに従って広くなる形状に形成されていることを特徴とする請求項１又は２に記載のステージ構造。
【発明の詳細な説明】
【技術分野】
【０００１】
本発明は、パチンコ機の遊技盤の盤面に配置される役物装置、例えば盤面ほぼ中央に配置されるセンタ役物に搭載され、遊技球の動き（遊技球の経路）によって遊技の興趣を高めるステージ構造に関するものである。
【背景技術】
【０００２】
従来、この種のステージ構造として例えば特許文献１に記載のものがあった。
これは、遊技盤から流入した球を受け、一部の球を遊技者に対し有利となる領域に導く球受け部をセンタ役物に設け、この球受け部に、横長の回転体を横軸線回りに回転可能に装着する。回転体上には、その長手方向の端部に向けて球を回転移動させる横経路を構成し、また同長手方向の端部近傍には、回転体の回転に伴って球を第１又は第２の放出経路に振り分ける振分部を設ける。第１の放出経路に流れた球は、第２の放出経路に流れた球よりも高い確率で有利な領域（可変始動口）に流入する。また、横経路を構成する後側壁の一部に回転体上の球が流入可能な流入口を有する誘導案内路を形成し、これを回転体の下方を潜ってセンタ役物本体の下部中央部に開口させる。更に、球受け部には、回転体の前側に沿って球が回転移動可能で第１の放出経路の一部を構成する球受棚を設け、回転体外周面には磁石を設ける。そして、球受棚上の球を磁石によって吸着し、回転体の回転に伴って球を誘導案内路の流入口まで移送し誘導案内路内に放出させる、というものである。
【先行技術文献】
【特許文献】
【０００３】
【特許文献１】特開２００４−０９７８００号公報（段落［００１９］，［００２１］，［００２３］，［００２４］等）
【発明の概要】
【発明が解決しようとする課題】
【０００４】
上記従来の球受け部（ステージ構造）によれば、遊技盤から流入した球の移動経路に種々の変化をもたせることができ、遊技の興趣を高めることができるという利点がある。特に、可変始動口（始動入賞口）に球が流入する経路を二通り、すなわち、回転体前側の球受棚から直接流入する前側始動入賞経路と、球受棚上の球を回転体外周面の磁石により吸着して回転体後側まで移送し、回転体の下方を潜って流入する後側始動入賞経路とを設けたことによる遊技の興趣の向上は大きい。
しかし、このような従来のステージ構造は、回転体、横経路、球受棚、誘導案内路等を備えていて、その奥行方向の寸法、すなわちステージ構造全体の奥行幅が大きくなった。特に、可変始動口に球が流入する始動入賞経路を二通りにする構成は、遊技盤の奥行幅を大きくする主因をなす回転体に依存するものであり、ステージ構造の奥行幅の縮小は困難であった。
近年の遊技盤においては、センタ役物の大型化、興趣を高めるための多機能化が進み、センタ役物の主構成をなすセンタ役物本体の構成が複雑化してきている。このため、センタ役物本体に備えられるステージ構造の奥行幅が制限される場合も少なくない。特に、センタ役物本体が主役物部材と副役物部材とで構成され、副役物部材、例えば副可動役物が図柄表示器と主役物部材、詳しくはそのステージ構造部分との間に配置される場合に、ステージ構造の奥行幅は大きく制限される。また、従来のステージ構造では、回転部を有するために構成を簡易化できず、耐久性も低くなる。
【０００５】
本発明は、上記のような実情に鑑みなされたもので、従来構造と同様の興趣を遊技者に与えることが可能でありながら、その奥行幅を小さくでき、しかも、その構成が簡易で耐久性の高いステージ構造を提供することを目的とする。
【課題を解決するための手段】
【０００６】
上記目的を達成するために、請求項１に記載の発明は、遊技盤の盤面に形成された遊技領域から球通路を経て送り込まれた遊技球を転動させながら経路を振り分けて前記遊技領域へ排出させるステージ構造であって、左右方向の特定位置に頂部を有し、少なくとも左右一方側の終端部が前記球通路の出口に連通する転動面と、この転動面からの前記遊技球の離脱を阻止する立壁面とを備え、前記転動面の頂部には、その転動面幅方向のほぼ中央部を境に遊技盤手前側に向かって下り傾斜する第１凹部及び同奥側に向かって下り傾斜する第２凹部が各々形成され、前記第１凹部の側部には、前記遊技盤手前側の立壁面から前記転動面幅方向のほぼ中央部に向かって下り傾斜すると共に両側方に向かって下り傾斜し、前記遊技球が、前記第１凹部側、前記第１凹部側とは反対側及び前記第２凹部側のうちのいずれの側にも流れるように凸部が形成され、前記第１凹部に対応する前記立壁面には、前記遊技球を、前記転動面頂部から前記遊技領域に排出可能の第１前側排出口が形成され、前記第２凹部に対応する前記立壁面には、前記遊技球を、前記転動面頂部から前記遊技盤奥側に落下させる奥側排出口が形成され、この奥側排出口から落下する前記遊技球を受け、この遊技球を、前記転動面の下方をくぐり抜けさせて前記第１前側排出口の下方に位置する第２前側排出口から前記遊技領域に排出させるくぐり抜け流路を備え、前記第２前側排出口の位置が、前記遊技領域上の特定箇所の直上位置に位置決め設定されていることを特徴とする。
請求項２に記載の発明は、請求項１に記載の発明において、前記転動面の頂部を除く箇所には、遊技盤手前側に向かって下り傾斜する第３凹部が形成され、この第３凹部に対応する前記立壁面には、前記遊技球を、前記転動面から前記遊技領域に排出可能の第３前側排出口が形成されていることを特徴とする。
請求項３に記載の発明は、請求項１又は２に記載の発明において、前記凸部は、前記転動面幅方向の中央側が狭く、端側に向かうに従って広くなる形状に形成されていることを特徴とする。
【発明の効果】
【０００７】
請求項１に記載の発明によれば、従来のステージ構造と同様に前，後側始動入賞経路を備えて興趣を高めるに当たり、それ自体奥行幅を有し、かつ回転部を有する部材を用いないので、全体の奥行幅を小さくでき、しかも、その構成が簡易で耐久性の高いステージ構造を提供できる。
請求項２に記載の発明によれば、請求項１に記載の発明において、奥行幅を増やさずにより興趣を高めることができる。
請求項３に記載の発明によれば、請求項１又は２に記載の発明において、奥行幅を増やさずに更に興趣を高めることができる。
【図面の簡単な説明】
【０００８】
【図１】本発明によるステージ構造を備えたセンタ役物の一例を示す正面図である。
【図２】同じく斜視図である。
【図３】図２中のステージ構造の要部を取り出し、拡大して示す斜視図である。
【図４】図２中のステージ構造を取り出し、拡大して示す平面図である。
【図５】同上遊技盤の分解斜視図である。
【図６】同上ステージ構造が適用されたセンタ役物を備えた遊技盤面の一例を示す正面図である。
【発明を実施するための形態】
【０００９】
以下、本発明の実施の形態を図面に基づき説明する。なお、各図間において、同一符号は同一又は相当部分を示す。
図１は本発明によるステージ構造を備えたセンタ役物の一例を示す正面図、図２は同じく斜視図である。
図１及び図２において、ステージ構造１は、後述するパチンコ機の遊技盤面（遊技盤の盤面を指す。以下、盤面と略記する。）のほぼ中央に配置されるセンタ役物２の下部に搭載されてセンタ役物２の一部を構成する。
このステージ構造１は、盤面に設定された遊技領域から球通路３を経て遊技球（図示せず）が送り込まれ、同遊技球を転動させながら経路を振り分けて遊技領域へ排出させる遊技球振り分け部材を構成する。
なお球通路３は、図示例ではセンタ役物２の左側上下方向に配設され、入口４がセンタ役物２の左側辺ほぼ中央部において遊技領域に開口し、出口５がステージ構造１の入口６に開口する通路であって、センタ役物２の一部を構成する。この球通路３はワープ通路とも称される通路であり、以下、ワープ通路３と記す。
【００１０】
以下にステージ構造１の詳細を図３及び図４を併用して説明する。
図３は図２中のステージ構造１の要部を取り出し、拡大して示す斜視図、図４は図２中のステージ構造１を取り出し、拡大して示す平面図である。
図示するようにステージ構造１は、転動面７と立壁面８とを備える。
転動面７は、その左右方向（盤面左右方向に対応する方向）の特定位置、例えばほぼ中央部に頂部９を有する。頂部９の両側には、裾部１０及びこの裾部１０に続いて上り坂部１１が形成され、左方側の上り坂部１１の終端部が上記ワープ通路３の出口５に連通するように構成されている。転動面７の幅Ｗは、遊技球ＰＢを転動可能な寸法、つまり遊技球直径より僅かに大きい寸法とされる。例えば、遊技球直径を１１ｍｍとすればＷ＝１４ｍｍ程度とされる。
【００１１】
立壁面８は、上記のように構成された転動面７を転動する遊技球ＰＢが同転動面７から離脱しないように転動方向を規制する壁面である。立壁面８は、転動面７の長さ方向、つまり遊技球ＰＢの主転動方向の両側に設けられるが、遊技盤手前側（詳しくは遊技盤手前側に相当する側）の立壁面８については転動する遊技球ＰＢの様子が見えるように透光材で形成される。非透光材で形成して遊技球ＰＢが見えないようにしてもよい。
【００１２】
上記転動面７の頂部９には、その転動面幅方向（幅Ｗの方向）の中間部、例えばほぼ中央部を境に遊技盤手前側に向かって下り傾斜する第１凹部１２が形成され、同じく奥側に向かって下り傾斜する第２凹部１３が形成される。
第１凹部１２及び第２凹部１３は、各々転動面幅方向の中央側が狭く、端側に向かうに従って広くなる、平面視半卵状に形成されている。半卵状にかえて、三角形でも台形でもよく、あるいは四角形でもよい。第１凹部１２と第２凹部１３とで平面視形状を変えてもよい。
【００１３】
第１凹部１２に対応する立壁面８には、遊技球ＰＢを、転動面頂部９（第１凹部１２部分）から遊技領域に排出可能の第１前側排出口１４が形成される。
また、第２凹部１３に対応する立壁面８には、遊技球ＰＢを、転動面頂部９（第２凹部１３部分）から遊技盤奥側に落下させる奥側排出口１５が形成される。
そしてこのステージ構造１は、奥側排出口１５から落下する遊技球ＰＢを受け、同遊技球ＰＢを、転動面頂部９の直下をくぐり抜けさせて、上記第１前側排出口１４の直下に位置する第２前側排出口１６から遊技領域に排出させるくぐり抜け流路１７を備える。
【００１４】
このくぐり抜け流路１７は、奥側排出口１５から排出された遊技球ＰＢを遊技盤奥側の遊技盤外の空間に落下しないように当接させて下方に誘導させる上側遊技球受け部１８と、この上側遊技球受け部１８からの遊技球ＰＢを受け止めて第２前側排出口１６に案内する下側遊技球受け部１９とによって構成される。
くぐり抜け流路１７を構成する上，下側遊技球受け部１８，１９の遊技盤奥側への突出寸法は、奥側排出口１５から排出されが遊技球ＰＢを上側遊技球受け部１８で受けて下側遊技球受け部１９に渡せるだけの寸法、例えば１３ｍｍ程度で足りる。
したがって、ステージ構造１全体の奥行寸法は、この１３ｍｍに転動面７の幅Ｗ＝１４ｍｍを加えた程度の寸法で足りる。また、上，下側遊技球受け部１８，１９の遊技盤奥側へ突出する部分の遊技盤左右方向の寸法も遊技球ＰＢが回転移動可能な程度、例えば１３ｍｍ程度で足りる。
【００１５】
転動面頂部９を除く箇所、例えば裾部１０と上り坂部１１との境界部分には、遊技盤手前側に向かって下り傾斜する第３凹部２０が形成される。
第３凹部２０は、転動面７全幅に亘って形成されており、遊技盤奥側（詳しくは遊技盤奥側に相当する側）の立壁面８側が狭く、手前側に向かうに従って広くなる、平面視半卵状に形成されている。この第３凹部２０の平面視形状も、半卵状にかえて、三角形でも台形でもよく、あるいは四角形でもよい。
この第３凹部２０に対応する低位側、つまり転動面７両側の立壁面８のうち、手前側の立壁面８には、遊技球ＰＢを、転動面７（第３凹部２０部分）から遊技領域に排出可能の第３前側排出口２１が形成される。
【００１６】
更に、上記第１凹部１２の側部、ここでは両側部には、手前側の立壁面８から転動面幅方向の中間部、例えばほぼ中央部に向かって下り傾斜する凸部２２が各々形成される。
凸部２２は、転動面幅方向の中央側が狭く、端側に向かうに従って広くなる、平面視半卵状に形成されている。半卵状にかえて、三角形でも台形でもよく、あるいは四角形でもよい。凸部２２毎に平面視形状を変えてもよい。
本実施形態では、凸部２２はその中央から両側方へも下り傾斜していて、勢いの失った遊技球ＰＢが凸部２２においてその左右側及び遊技盤奥側のいずれの側、つまり第１〜第３凹部１２，１３，２０のいずれの側にも流れるようになされている。
なお、凸部２２を第２凹部１３の両側部に形成してもよい。この場合、凸部２２の転動面幅方向の下り傾斜は、凸部２２を第１凹部１２の両側部に形成した場合とは反対方向に形成される。
【００１７】
このように構成されたステージ構造１は、その第２前側排出口１６の位置が、遊技者にとって有利な遊技領域上の特定箇所、通常、始動入賞口（可変始動口とも称する。）６４の直上位置に位置決め設定される。
第２前側排出口１６は第１前側排出口１４の直下に位置するので、第２前側排出口１６の位置が始動入賞口６４の直上位置にあることは、第１前側排出口１４も始動入賞口６４上方の近接した位置にあることになる。
【００１８】
すなわち、本実施形態に係るステージ構造１は、遊技球ＰＢが始動入賞口６４に流入する始動入賞経路を二通り有している。
１つは、遊技球ＰＢが転動面７から直接、始動入賞口６４に流入する前側始動入賞経路（以下、前側ルートと記す。）２３である。詳しくは、転動面７を転動する遊技球ＰＢが、遊技盤手前側に向かって下り傾斜する第１凹部１２及び第１前側排出口１４を順次経て遊技領域へ排出される経路である。
他の１つは、転動面７から遊技盤奥側に向かって下り傾斜する第２凹部１３及び奥側排出口１５を順次経てきた遊技球ＰＢを、転動面頂部９の直下をくぐり抜けさせて遊技盤手前側に送り、第２前側排出口１６から遊技領域へ排出させる、くぐり抜け流路１７を主体とした後側始動入賞経路（以下、後側ルートと記す。）２４である。
第１前側排出口１４及び第２前側排出口１６の下方近傍ないし直下には始動入賞口６４が配置されているので、前側ルート２３及び後側ルート２４に振り分けられた遊技球ＰＢは、始動入賞口６４へ高い確率で流入する。
【００１９】
次に、上述したステージ構造１による遊技球ＰＢの経路の振り分けについて説明する。
図１，図２に示すワープ通路入口４に流入してワープ通路３内を流下し、通路出口５からステージ構造１（転動面７）の入口６に送り込まれた遊技球ＰＢは、図３中の矢印ア，イに示すように転動面７内を左右に往復転動し、次第に減速され勢いを失う。そして、最終的に第１〜第３前側排出口１４，１６，２１のうちのいずれか１の前側排出口に振り分けられて遊技領域に排出される。
以下、遊技球ＰＢの流れを図３及び図４を参照して具体的に説明する。
図３中の矢印ア〜オは遊技球ＰＢの流れを示す。また、図４中の第１〜第３凹部１２，１３，２０及び凸部２２に付された矢印は、それら各部における下り勾配の方向を示す。すなわち、第１及び第３凹部１２，２０は各々盤面手前側に、第２凹部１３は盤面奥側に下り傾斜している。凸部２２は、概ね盤面奥側に下り傾斜している。
すなわち、上記のように減速されて勢いを失った遊技球ＰＢは、第１凹部１２から第１前側排出口１４を経て遊技領域に排出され始動入賞口６４に流入する前側ルート２３、第２凹部１３から奥側排出口１５、くぐり抜け流路１７、第２前側排出口１６を経て遊技領域に排出され、始動入賞口６４に流入する後側ルート２４、及び第３凹部２０から第３前側排出口２１を経て遊技領域に排出される経路のいずれかに振り分けられる（矢印ウ〜オ参照）。
上記のように、第１前側排出口１４及び第２前側排出口１６の下方には始動入賞口６４が配置されているので、前側ルート２３及び後側ルート２４に振り分けられた遊技球ＰＢは、始動入賞口６４へ高い確率で流入する。
他方、第１前側排出口１４左右側の第３前側排出口２１側に振り分けられた遊技球ＰＢは、始動入賞口６４から左右側に離れた位置から遊技領域に排出され、始動入賞口６４へ流入する確率は低くなる。
勢いの失った遊技球ＰＢは、凸部２２において第１〜第３凹部１２，１３，２０のいずれの側にも流れるようになされている。第１凹部１２に流れた遊技球ＰＢは前側ルート２３に、第２凹部１３に流れた遊技球ＰＢは後側ルート２４に振り分けられ、始動入賞口６４へ高い確率で流入することになるが、第３凹部２０に流れた遊技球ＰＢは始動入賞口６４へ流入する確率は低くなる。したがって、凸部２２における遊技球ＰＢの挙動への関心は高く、凸部２２は遊技の興趣を増す。
【００２０】
以上述べたように本実施形態によれば、従来のステージ構造と同様に前側ルート２３及び後側ルート２４と二通りの始動入賞経路を備えていながら、その奥行方向の寸法（奥行幅）は、転動面７の幅Ｗに、くぐり抜け流路１７を構成する上，下側遊技球受け部１８，１９の遊技盤奥側への突出寸法を加えた程度の寸法で足りる。例えば、転動面７の幅Ｗ＝１４ｍｍ程度とし、上，下側遊技球受け部１８，１９の遊技盤奥側への突出寸法を１３ｍｍ程度とした場合に、３０ｍｍ程度で足り、回転体、横経路、球受棚、誘導案内路等を備えた従来のステージ構造に比べて小さな奥行寸法で足りる。しかも、遊技盤奥側への突出部の大きさも小さい。
また、従来のステージ構造と同様に高さに変化をもたせながら遊技球ＰＢを左右方向に転動させ得る。しかも、遊技球ＰＢを前側に導く第１，第３凹部１２，２０、後側に導く第２凹部１３、及び基本的には後側に導くが全体として導く方向が不安定な凸部２２を備えていて、遊技領域に排出される遊技球ＰＢの経路に変化をもたせたので、遊技球ＰＢの動きを十分楽しませることができる。
したがって、従来構造と同様の興趣を遊技者に与えることが可能でありながら、その奥行幅を小さくでき、図５に示すように、センタ役物２の主構成をなすセンタ役物本体（ステージ構造１を含む。）２５と図柄表示器６３との間に副可動役物２６等を配置できる。  しかも、従来構造と同様の興趣を回転体を用いることなく与えることができるので、構成の簡易化が図れ、また耐久性を高めることができる。
遊技球ＰＢが、前側ルート２３及び後側ルート２４のどちらを流れるかは、それら前側，後側ルート２３，２４を形成する第１，第２凹部１２，１３の大きさや傾斜度、あるいは転動面頂部９における転動面幅方向上の前側，後側ルート２３，２４の境界位置等の設計によって定まる。本実施形態においては、後側ルート２４のほうが前側ルート２３よりも多く遊技球ＰＢが流れるように設計されている。
また、前側ルート２３と後側ルート２４のいずれを通るかによって、始動入賞口６４に入賞する確率が異なるように設計されている。前側ルート２３を形成する立壁面８の間隔が遊球球ＰＢ１個分の大きさ以上２個分未満に設計されており、前側ルート２３を通る際にはごくわずかながら左右方向にぶれて落下することとなる。一方、後側ルート２４を形成する第２前側排出口１６の底面には溝が設けられており、その溝に沿って遊技球ＰＢが排出されることになるため、ほとんど左右方向にぶれずに落下する。したがって、前側ルート２３を通る場合よりも後側ルート２４を通った場合の方が始動入賞口６４に入賞する確率は高くなっている。
なお、図５中、５１は遊技盤（未完成状態）を示す。
【００２１】
図６は、上述したステージ構造１がセンタ役物２の一部として用いられたパチンコ機の遊技盤の盤面の一例を示す図である。
図６において、遊技盤５１の盤面６１には、レール（図示せず）が取り付けられ、レールの内側には、遊技領域６２が形成される。レールは、図示しないハンドルの操作により発射された遊技球（図示せず）を盤面６１の左側上部から遊技領域６２へ送り込むように案内する。
【００２２】
盤面６１には、レールの他にも種々の盤面構成部品が設けられている。
すなわち、盤面６１のほぼ中央には液晶表示器等からなる図柄表示器６３が配置され、この図柄表示器６３の周囲にはセンタ役物２が配置されている。
センタ役物２の下方には始動入賞口６４が設けられ、また、始動入賞口６４の下方には大入賞口６５が設けられている。その他、ゲート６６やいくつかの一般入賞口６７が盤面６１上に設けられている。
上記大入賞口６５は、大当り開放時に、他の入賞口６４，６７よりも入賞（流入）が著しく容易な形態となるように、ここでは入賞開口が著しく大きくなるように構成されている。
【００２３】
レール内側の最下部には、入賞しなかった遊技球を回収するアウト口６８が設けられている。
更に、盤面６１の適宜箇所には、多数の遊技釘（図示省略）が打ち込まれている。なお、盤面６１は透明ガラス板（図示せず）により覆われ、遊技球が遊技領域６２から離脱することはない。
【００２４】
上記図柄表示器６３の図柄表示領域は、例えば横方向に左、中、右、３つの表示領域ＬＡ，ＣＡ，ＲＡに分けられている。
これら３つの図柄表示領域ＬＡ，ＣＡ，ＲＡには各々図柄Ｌ，Ｃ，Ｒが表示されるが、表示される図柄Ｌ，Ｃ，Ｒは変動可能であり、また、始動入賞口６４への遊技球の入賞により変動開始すると所定時間後に停止するようになされている。このときの表示図柄Ｌ，Ｃ，Ｒは、例えば３つの表示領域ＬＡ，ＣＡ，ＲＡ共に０〜９までの数字であり、変動時にはこの数字０〜９が繰り返し表示される。表示図柄Ｌ，Ｃ，Ｒの変動は、始動入賞口６４への遊技球の入賞により行われる、大当りか外れかの抽選と共に、又は抽選直後に開始される。
【００２５】
以上のような盤面６１の構成において、上述した振り分け機能を有する転動面７と前側ルート２３及び後側ルート２４（図３参照）の二通りの始動入賞経路とを備えたステージ構造１がセンタ役物２の一部として、センタ役物２の下部左右方向に配置されている。そして、このようなステージ構造１に形成された経路への振り分けに応じて遊技球が遊技領域６２へ排出され、上述した効果を発揮する。
【符号の説明】
【００２６】
１：ステージ構造、２：センタ役物、３：ワープ通路（球通路）、４：ワープ通路入口、５：ワープ通路出口、６：ステージ構造（転動面）入口、７：転動面、８：立壁面、９：頂部、１０：裾部、１１：上り坂部、１２：第１凹部、１３：第２凹部、１４：第１前側排出口、１５：奥側排出口、１６：第２前側排出口、１７：くぐり抜け流路、２０：第３凹部、２１：第３前側排出口、２２：凸部、２３：前側ルート、２４：後側ルート、ＰＢ：遊技球。
【図１】
0005465490.tif 000002
【図２】
0005465490.tif 000003
【図３】
0005465490.tif 000004
【図４】
0005465490.tif 000005
【図５】
0005465490.tif 000006
【図６】
0005465490.tif 000007